(57)【要約】【課題】使い勝手に優れた電子機器を提供する。【解決手段】外部コネクタであるヘッドフォンコネクタ１６１に少なくとも機械的に挿入可能な物品４００のヘッドフォンコネクタ１６１に対する挿入ならびに抜去を、電気的に、もしくは、機械的動作部分を備えたスイッチを介して電気的に検出可能である。等の入力部に対する入力操作の検出を無効とする入力操作ロック状態中に、ヘッドフォンコネクタ１６１への物品４００の挿入を検出すると、ユーザによるアンロック操作不要に、入力操作ロック状態から、入力部による入力操作の検出を有効とする通常状態に移行する。【選択図】図１
2014057266.tif 000002
【特許請求の範囲】
【請求項１】
入力操作を検出する入力部と、周辺装置と機械的かつ電気的に接続可能な外部コネクタとを有し、
前記入力部に対する入力操作の検出を有効とする通常状態と、入力操作の検出を無効とする入力操作ロック状態とに移行可能であり、
前記入力操作ロック状態中に、所定の操作に基づいて前記入力部のうち所定の領域に対する入力操作であるアンロック操作を受け付け、該アンロック操作を検出すると、前記入力操作ロック状態から前記通常状態に移行する電子機器であって、
前記外部コネクタに少なくとも機械的に挿入可能な物品の該外部コネクタに対する挿入ならびに抜去を、電気的に、もしくは、機械的動作部分を備えたスイッチを介して電気的に検出可能であり、
前記入力操作ロック状態中に、前記外部コネクタへの物品の挿入を検出すると、前記アンロック操作不要に、前記入力操作ロック状態から前記通常状態に移行することを特徴とする電子機器。
【請求項２】
ディスプレイをさらに有し、
前記入力操作ロック状態中は、前記ディスプレイの少なくとも一部の領域の表示を休止し、
前記入力操作ロック状態中に、所定の操作に基づいて、前記アンロック操作をユーザに促すアンロック受付画面を前記ディスプレイによって表示し、
前記入力操作ロック状態から前記通常状態に移行した後は、基本画面であるホーム画面を前記ディスプレイによって表示する請求項１に記載の電子機器。
【請求項３】
ハードウエアボタンをさらに有し、
前記入力操作ロック状態中に、前記所定の操作として前記ハードウエアボタンに対するボタン操作を検出すると、前記に対する前記アンロック操作を受け付ける請求項１または２に記載の電子機器。
【請求項４】
前記外部コネクタに挿入された物品が抜去されたときに、計時を開始するタイマをさらに有し、
前記外部コネクタから物品が抜去された後、前記タイマによる計時が所定時間を経過する前に前記外部コネクタに物品が再挿入されると、前記通常状態を維持する一方、
前記外部コネクタから物品が抜去された後、前記外部コネクタに物品が再挿入されることなく前記タイマによる計時が前記所定時間以上経過すると、前記通常状態から前記入力操作ロック状態に移行する請求項１乃至３のいずれか一項に記載の電子機器。
【請求項５】
前記外部コネクタに電気的にも接続可能であり、個々に割り当てられた識別情報を電気的に抽出可能にそれぞれ記憶した複数の物品を、前記外部コネクタへの接続対象とし、
前記入力操作ロック状態中に、前記外部コネクタへの物品の挿入を検出すると、前記入力操作ロック状態から前記通常状態に移行すると共に、当該物品に記憶された識別情報に応じた固有のホーム画面を前記ディスプレイによって表示する請求項２に記載の電子機器。
【請求項６】
前記外部コネクタは、ヘッドフォンコネクタ、ＵＳＢコネクタ、ＨＤＭＩコネクタまたはＭＨＬ対応ＨＤＭＩコネクタである請求項１乃至５のいずれか一項に記載の電子機器。
【請求項７】
前記入力部から入力された情報をも含む情報を無線ネットワークを介して他の電子機器と通信する無線通信部をさらに有する請求項１乃至６のいずれか一項に記載の電子機器。
【請求項８】
請求項１乃至７のいずれか一項に記載の電子機器の前記外部コネクタへの接続対象としての前記物品であって、
前記外部コネクタに少なくとも機械的に挿入されたときに前記電子機器の筐体を装飾する追加意匠部を有することを特徴とする装飾器具。
【請求項９】
電子機器の前記外部コネクタと機械的かつ電気的に接続する物品コネクタと、
周辺装置と機械的かつ電気的に接続する追加外部コネクタと、
前記物品コネクタと前記追加外部コネクタとの間を電気的に接続する配線部とをさらに有する請求項８に記載の装飾器具。
【請求項１０】
駆動電源としてのバッテリを内蔵した携帯型の電子機器であり、かつ、前記外部コネクタが、電子機器の電源回路に電気的に接続された端子をも含む電子機器の接続対象としての装飾器具であって、
電子機器のバッテリ充電および／または駆動電源供給をなす追加バッテリをさらに有する請求項８または９に記載の装飾器具。
【発明の詳細な説明】
【技術分野】
【０００１】
本発明は、ユーザーインターフェースとして、入力操作を検出してユーザからの情報を入力するタッチパネル等の入力部と、外部インターフェースとして、周辺装置と機械的かつ電気的に接続する外部コネクタとを有する電子機器に関する。
【背景技術】
【０００２】
例えば、スマートフォン、携帯電話機、情報処理タブレット等のこの種の電子機器は、携帯時におけるタッチパネルの誤操作、誤動作を防止するため、入力操作（例えば、タッチ操作）のタッチパネルによる検出を有効とする通常状態から入力操作の検出を無効とする入力操作ロック状態に移行可能に構成されていることが多い。
【０００３】
一般に、通常状態から入力操作ロック状態への移行（ロック）は、例えば、ユーザが特定のハードウエアボタンを操作するか、あるいは、タッチパネルによるタッチ操作が一定時間無い場合には自動的に、移行するように構成されている。
【０００４】
一方、入力操作ロック状態から通常状態への移行（アンロック）は、例えば、次のようにしてなされる。入力操作ロック状態中に、例えば電子機器に備えられたホームボタン等の特定のハードウエアボタンに対するボタン操作を検出すると、入力操作の検出を無効としたタッチパネルのうちの所定の領域に対応したディスプレイの所定の領域に錠前等を模したアイコンを表示し、このアイコンを解錠するような入力操作であるアンロック操作をタッチパネルの所定の領域によって検出すると、通常状態に移行すると共に、ホーム画面とも呼ばれる基本画面をディスプレイによって表示する。
【０００５】
尚、特許文献１には、接続される外部機器に応じた動作モードをユーザ操作によらず自動的に選択して実行する携帯端末装置が開示されている。
【０００６】
また、特許文献２には、ジャックに所定のプラグが差し込まれ、そのプラグを介してジャックにデータが供給された場合に、そのデータを記憶手段に書き込む手段と、記憶手段に記憶されているデータに応じた報知を行う報知手段とを有する電子機器が開示されている。
【０００７】
特許文献３には、端子に接続された機器の電気特性を照合することにより、複数の異なる機器の一つであることを認識する識別システムが開示されている。
【先行技術文献】
【特許文献】
【０００８】
【特許文献１】特開２０１０−２０６６６８号公報
【特許文献２】特開２００５−３１１４２１号公報
【特許文献３】特開２００５−５３１２２７号公報
【発明の概要】
【発明が解決しようとする課題】
【０００９】
ところで、入力操作ロック状態にあるこの種の電子機器を使用する際に、ユーザが行わなければならない作業は、次のとおりである。まず、例えばカバンの中から電子機器を取り出す。この時点で、電子機器は、入力操作ロック状態であり、かつ、ディスプレイがブラックアウトした休止状態である。取り出した電子機器を、ユーザは、そのタッチパネル付きディスプレイに臨む体勢でホームボタン等をボタン操作し、アンロック受付画面を表示させる。続いて、表示されたアンロック受付画面に従ってアンロック操作を行い、ホーム画面を表示させる。その後、ホーム画面上の、アプリとも呼称される所望のアプリケーションプログラムに対応するアイコンにタッチし、アプリを起動して所望のアプリによるサービスを利用する。
【００１０】
この一連の動作は、ユーザにとって、必ずしも使い勝手に優れているとは言えない。即ち、入力操作ロック状態から最終的に所望のアプリを利用するまでに、ユーザは比較的多くの煩わしい作業行程を経なければならない。
【００１１】
それ故、本発明の課題は、使い勝手に優れた電子機器を提供することである。
【課題を解決するための手段】
【００１２】
本発明によれば、入力操作を検出する入力部と、周辺装置と機械的かつ電気的に接続可能な外部コネクタとを有し、前記入力部に対する入力操作の検出を有効とする通常状態と、入力操作の検出を無効とする入力操作ロック状態とに移行可能であり、前記入力操作ロック状態中に、所定の操作に基づいて前記入力部のうち所定の領域に対する入力操作であるアンロック操作を受け付け、該アンロック操作を検出すると、前記入力操作ロック状態から前記通常状態に移行する電子機器であって、前記外部コネクタに少なくとも機械的に挿入可能な物品の該外部コネクタに対する挿入ならびに抜去を、電気的に、もしくは、機械的動作部分を備えたスイッチを介して電気的に検出可能であり、前記入力操作ロック状態中に、前記外部コネクタへの物品の挿入を検出すると、前記アンロック操作不要に、前記入力操作ロック状態から前記通常状態に移行することを特徴とする電子機器が得られる。
【００１３】
本発明によればまた、前記電子機器の前記外部コネクタへの接続対象としての前記物品であって、前記外部コネクタに少なくとも機械的に挿入されたときに前記電子機器の筐体を装飾する追加意匠部を有することを特徴とする装飾器具が得られる。
【発明の効果】
【００１４】
本発明による電子機器は、使い勝手に優れている。
【図面の簡単な説明】
【００１５】
【図１】本発明の実施例による電子機器としてのスマートフォンの構成を示すブロック図である。
【図２】（ａ）〜（ｃ）は、図１に示されたスマートフォンの動作を説明するための図である。
【図３】本発明の実施例１による電子機器としてのスマートフォンの動作を説明するためのフロー図である。
【図４】本発明の実施例２による電子機器としてのスマートフォンの動作を説明するためのフロー図である。
【図５】本発明の実施例３による電子機器としてのスマートフォンの動作を説明するためのフロー図である。
【発明を実施するための形態】
【００１６】
本発明による電子機器は、例えばスマートフォンであり、タッチパネル等の入力部と、周辺装置と機械的かつ電気的に接続可能なヘッドフォンコネクタ、ＵＳＢコネクタ等の外部コネクタとを有している。
【００１７】
本電子機器は、入力部に対する入力操作の検出を有効とする通常状態と、入力操作の検出を無効とする入力操作ロック状態とに移行可能である。
【００１８】
尚、入力操作ロック状態中に、所定の操作に基づいて入力部のうち所定の領域に対する入力操作であるアンロック操作を受け付け、アンロック操作を検出すると、入力操作ロック状態から通常状態に移行する。
【００１９】
本発明による電子機器は特に、外部コネクタに少なくとも機械的に挿入可能な物品の外部コネクタに対する挿入ならびに抜去を、電気的に、もしくは、機械的動作部分を備えたスイッチを介して電気的に検出可能である。
【００２０】
さらに、入力操作ロック状態中に、外部コネクタへの物品の挿入を検出すると、アンロック操作不要に、入力操作ロック状態から通常状態に移行する。
【００２１】
また、本発明による装飾器具は、電子機器の外部コネクタへの接続対象としての物品であって、特に、外部コネクタに少なくとも機械的に挿入されたときに電子機器の筐体を装飾する追加意匠部を有している。
【００２２】
上記構成により、本発明による電子機器は、物品を外部コネクタに挿入すること以外に煩雑な操作を行うことなく入力操作ロック状態から通常状態に移行し、アプリ利用等の通常の使用に至るまでにユーザに強いられる作業が少なく、使い勝手に優れている。
【００２３】
以下、図面を参照して、本発明による電子機器のより具体的な実施例を説明する。
【実施例１】
【００２４】
図１を参照すると、本発明の実施例１による電子機器としてのスマートフォン１００は、制御部１１０と、充電式バッテリ１２０と、無線通信部１３０と、入力ユーザーインターフェース（入力ＵＩ）１４０と、出力ユーザーインターフェース（出力ＵＩ）１５０と、外部インターフェース（外部Ｉ／Ｆ）１６０と、これらデバイスを収容する筐体とを有している。
【００２５】
制御部１１０は、ＣＰＵ（Central Processing Unit）１１１と、メモリ１１２と、無線通信部１３０等の各内蔵デバイスとのインターフェース（図示せず）とを備えている。
【００２６】
制御部１１０は、演算素子がメモリ１１２に記憶されたオペレーティングシステムおよびその他のプログラムソフトウエアに従って演算素子によって演算を行うことにより、スマートフォン１００の動作全般を制御する。
【００２７】
尚、メモリ１１２は、スマートフォン１００における幾つかの記憶手段を代表して図示したものであり、ＢＩＯＳ（Basic Input and Output System）、オペレーティングシステム（ＯＳ）、各種基本情報を固定的に記憶した単一または複数のＲＯＭと、処理情報を一時的に記憶するＲＡＭと、通信事業者から提供される電話番号等の識別情報を記憶したマイクロＳＩＭ（Subscriber Identity Module）カードや、micro ＳＤ（Secure Digital High Capacity、商標または登録商標）カード等の取り外し可能なメモリーカードをも含むものとする。
【００２８】
無線通信部１３０は、アンテナ１３２を備え、例えば３Ｇ携帯電話等のネットワーク２００を介して、例えば、通信相手のスマートフォン３００との間で、音声通話およびその他の通信を行う。ネットワーク２００は、一部に有線ネットワークを含んでいてもよく、また、サーバが備えられた基地局をも含むものとする。
【００２９】
入力ユーザーインターフェース１４０は、内蔵マイクロフォン１４１と、入力操作を検出するタッチパネル（入力部）１４２と、ハードウエアボタン（Ｈ／Ｗボタン）１４３と、カメラ１４４とを含んでいる。タッチパネル１４２は、例えば、静電容量変化検出式であり、ハードウエアボタン１４３としては、図１中、区別して描いていないが、電源ボタン、ホームボタン、バックボタン、メニューボタン、音量等ダウンボタン、音量等アップボタン等を含んでいる。
【００３０】
出力ユーザーインターフェース１５０は、内蔵スピーカー１５１と、液晶式または有機ＥＬ式等のディスプレイ１５２と、バイブレーションモータ１５３とを含んでいる。
【００３１】
外部インターフェース１６０は、ヘッドフォン５００と機械的かつ電気的に接続可能なヘッドフォンコネクタ１６１と、ＵＳＢ機器６００と機械的かつ電気的に接続可能なＵＳＢコネクタ１６３と、充電および／または電源供給用のＡＣアダプタ等と機械的かつ電気的に接続可能な電源コネクタ１６４と、無線ＬＡＮやBluetooth（商標または登録商標）等のネットワークまたは機器と通信を行う近距離無線通信部１６５と、赤外線インターフェースを備えた機器と通信を行う赤外線（ＩＲ：InfraRed）通信部１６６とを含んでいる。
【００３２】
スマートフォン１００は、携帯時におけるタッチパネルの誤操作、誤動作を防止するため、制御部１１０の制御により、入力操作（例えば、タッチ操作）のタッチパネル１４２による検出を有効とする通常状態と、入力操作の検出を無効とする入力操作ロック状態とに移行可能である。
【００３３】
通常状態から入力操作ロック状態への移行（ロック）は、例えば、ユーザがＨ／Ｗボタン１４３のうちのホームボタンを操作するか、あるいは、タッチパネル１４２に対する入力操作が一定時間無い場合には自動的に、移行するように構成されている。尚、入力操作ロック状態中は、ディスプレイ１５２の少なくとも一部の領域の表示を休止して、所謂ブラックアウト画面となる。
【００３４】
一方、入力操作ロック状態から通常状態への移行（アンロック）は、例えば、次のようにしてなされる。制御部１１０は、入力操作ロック状態中に、例えば電子機器に備えられたＨ／Ｗボタン１４３のうちのホームボタンに対するボタン操作を検出すると、入力操作の検出を無効としたタッチパネル１４２のうちの所定の領域に対応したディスプレイ１５２の所定の領域に、錠前等を模したアイコンを表示し、このアイコンを解錠するような入力操作であるアンロック操作をタッチパネル１４２の所定の領域によって検出すると、通常状態に移行すると共に、ホーム画面とも呼ばれる基本画面をディスプレイ１５２によって表示する。
【００３５】
さらに図２（ａ）〜（ｃ）をも併せ参照すると、本発明による電子機器としてのスマートフォン１００においては特に、制御部１１０は、外部コネクタ（例えば、ヘッドフォンコネクタ１６１）に少なくとも機械的に挿入可能な物品４００の外部コネクタに対する挿入ならびに抜去を、電気的に、もしくは、機械的動作部分を備えたスイッチを介して電気的に検出可能である。
【００３６】
そして、入力操作ロック状態中に、ヘッドフォンコネクタ１６１への物品４００の挿入を検出すると、アンロック操作不要に、入力操作ロック状態から通常状態に移行する。
【００３７】
尚、本発明における物品としては、外部コネクタに少なくとも機械的に挿入可能であればよく、ヘッドフォン、ＵＳＢ機器等の周辺装置の他に、後の実施例で説明する装飾器具であってもよい。
【００３８】
次に、本スマートフォン１００の動作を、図１〜図３を併せ参照しつつ説明する。
【００３９】
いま、スマートフォン１００は、入力操作ロック状態中である（ステップＳ１１）。
【００４０】
入力操作ロック状態中、制御部１１０は、Ｈ／Ｗボタン１４３（例えば、ホームボタン）に対するボタン操作の有無、もしくは、例えばヘッドフォンコネクタ１６１への物品４００の挿入を常に監視する（ステップＳ１２）。
【００４１】
制御部１１０は、ステップＳ１２の監視結果として、ホームボタンに対するボタン操作を検出すると、アンロック操作の受け入れ処理を実行する（ステップＳ１３）。より詳しくは、入力操作の検出を無効としたタッチパネル１４２のうちの所定の領域に対応したディスプレイ１５２の所定の領域に、錠前等を模したアイコンを表示する。続いて、制御部１１０は、このアイコンを解錠するような入力操作であるアンロック操作をタッチパネル１４２の所定の領域によって検出すると、ステップＳ１４の通常状態に移行する。
【００４２】
一方、制御部１１０は、ステップＳ１２の監視結果として、ヘッドフォンコネクタ１６１への物品４００の挿入を検出すると、アンロック操作不要に、ステップＳ１４の通常状態に移行する。
【００４３】
通常状態への移行に引き続いて、ステップＳ１５において、制御部１１０は、ホーム画面とも呼ばれる基本画面をディスプレイ１５２によって表示する。
【実施例２】
【００４４】
本実施例による電子機器は、外部コネクタに既に挿入されている物品をユーザが抜いた場合と、意図せずに抜けた場合とに対処できる点が、実施例１と異なっている。このため、実施例１と同一または同様の部分については、実施例１における説明および図面を援用することとし、詳細な説明は省略する。
【００４５】
実施例１の図１を援用的に参照すると、実施例２のスマートフォンは、外部コネクタ（例えば、ヘッドフォンコネクタ）に挿入された物品４００が抜去されたときに、計時を開始するタイマ１１３をさらに有している。
【００４６】
制御部１１０は、ヘッドフォンコネクタ１６１から、これに挿入された物品４００が抜去された後、タイマ１１３による計時が所定時間を経過する前に、ヘッドフォンコネクタ１６１に物品が再挿入されると、前記通常状態を維持する。一方、ヘッドフォンコネクタ１６１から、これに挿入された物品４００が抜去された後、ヘッドフォンコネクタ１６１に物品４００が再挿入されることなくタイマ１１３による計時が所定時間以上経過すると、通常状態から入力操作ロック状態に移行する。
【００４７】
次に、実施例２のスマートフォンの動作を、実施例１の図１および図２を援用的に参照すると共に、図４を併せ参照しつつ説明する。
【００４８】
いま、スマートフォン１００は、ヘッドフォンコネクタ１６１に物品４００が挿入されて、通常状態中である（ステップＳ２１）。
【００４９】
スマートフォン１００が物品４００の挿入によって通常状態中、制御部１１０は、物品４００がヘッドフォンコネクタ１６１から抜けたかどうかを常に監視する（ステップＳ２２）。
【００５０】
制御部１１０は、ステップＳ２２の監視結果として、物品４００がヘッドフォンコネクタ１６１から抜けたことを検出すると、ステップＳ２３においてタイマ１１３による計時を開始してステップＳ２４に移行する。
【００５１】
ステップＳ２４において、タイマ１１３による計時が所定時間を経過する前に（ヘッドフォンコネクタ１６１）に物品４００が再挿入されたかどうかを判定する。即ち、所定時間の経過と、物品の挿入との両方を監視し、先に起こったイベントに基づき判定を下す。
【００５２】
制御部１１０は、判定の結果、所定時間経過前に再挿入を検出した場合は、物品が意図せずに誤って抜けてユーザが直ぐに再挿入したものと判断し、計時を中止およびリセットした後、ステップＳ２２に戻り、通常状態を維持する。
【００５３】
一方、物品４００が再挿入されることなくタイマ１１３による計時が所定時間以上経過した場合は、計時をリセットした後、通常状態からステップＳ２５の入力操作ロック状態に移行する。
【００５４】
実施例２のスマートフォンは、挿入されている物品が抜去された後に所定時間内に再挿入されるか否かによって、再挿入された場合には意図せずに誤って抜けた物品をユーザが直ぐに再挿入した、即ち、通常状態をユーザは続行したいとの意向であると判断する一方、物品が抜けた後に所定時間が経過しても再挿入されない場合はユーザが意図的に物品を抜去した、即ち、通常状態を終了して入力操作ロック状態に移行したいとのユーザの意向であると判断するため、使い勝手に優れている。
【実施例３】
【００５５】
本実施例による電子機器は、物品に個々に割り当てられた識別情報に応じた固有のホーム画面をディスプレイによって表示する点が、実施例１と異なる。このため、実施例１と同一または同様の部分については、実施例１における説明および図面を援用することとし、詳細な説明は省略する。
【００５６】
実施例１の図１を援用的に参照すると、実施例３のスマートフォンは、個々に割り当てられた識別情報を電気的に抽出可能にそれぞれ記憶した複数の物品を、外部コネクタ（例えば、ヘッドフォンコネクタ）への接続対象としている。
【００５７】
一方、スマートフォン１００のメモリ１１２には、物品個々に割り当てられた複数の識別情報と、複数種類のホーム画面の表示形式情報とが、対応テーブルの形態で記憶されている。
【００５８】
入力操作ロック状態中に、制御部１１０は、ヘッドフォンコネクタ１６１への物品４００の挿入を検出すると、入力操作ロック状態から通常状態に移行すると共に、機械的に挿入および電気的に接続された物品４００に記憶された識別情報に応じた固有のホーム画面をディスプレイ１５２によって表示する。
【００５９】
次に、実施例３のスマートフォンの動作を、実施例１の図１および図２を援用的に参照すると共に、図５を併せ参照しつつ説明する。
【００６０】
いま、スマートフォン１００は、入力操作ロック状態中である（ステップＳ３１）。
【００６１】
入力操作ロック状態中、制御部１１０は、Ｈ／Ｗボタン１４３（例えば、ホームボタン）に対するボタン操作の有無、もしくは、例えばヘッドフォンコネクタ１６１への物品４００の挿入を常に監視する（ステップＳ３２）。
【００６２】
制御部１１０は、ステップＳ３２の監視結果として、ホームボタンに対するボタン操作を検出すると、アンロック操作の受け入れ処理を実行する（ステップＳ３３）。より詳しくは、入力操作の検出を無効としたタッチパネル１４２のうちの所定の領域に対応したディスプレイ１５２の所定の領域に、錠前等を模したアイコンを表示する。続いて、制御部１１０は、このアイコンを解錠するような入力操作であるアンロック操作をタッチパネル１４２の所定の領域によって検出すると、ステップＳ３５の通常状態に移行する。
【００６３】
ステップＳ３５において、制御部１１０は、ノーマルホーム画面をディスプレイ１５２によって表示する。
【００６４】
一方、制御部１１０は、ステップＳ３２の監視結果として、ヘッドフォンコネクタ１６１への物品４００の挿入を検出すると、アンロック操作不要に、ステップＳ３６の通常状態に移行する。
【００６５】
ステップＳ３６において、制御部１１０は、外部コネクタ（ヘッドフォンコネクタ１６１）を介して物品４００個々に割り当てられた識別情報を電気的に抽出し、メモリ１１２に記憶し対応テーブルを参照して抽出した識別情報に対応するスペシャルホーム画面を選択し、選択したスペシャルホーム画面をディスプレイ１５２によって表示する。
【００６６】
実施例３のスマートフォンは、その外部コネクタに挿入される物品に割り当てられている識別情報に応じて、ユーザが特別な操作をすることなく、自動的に固有のホーム画面を表示するため、ユーザは、容易にホーム画面の意匠をオリジナルのものにすることができる。
【実施例４】
【００６７】
本実施例は、実施例１〜３のスマートフォンの外部コネクタへの接続対象としての物品の発明である。以下の説明において、実施例１と同一または同様の部分については、実施例１における説明および図面を援用することとし、詳細な説明は省略する。
【００６８】
実施例１の図１、図２を援用的に参照すると、物品４００としては、装飾器具として機能するものであってもよい。
【００６９】
本実施例の装飾器具は、外部コネクタ（例えば、ヘッドフォンコネクタ１６１）に少なくとも機械的に挿入されたときにスマートフォン１００の筐体を装飾する例えば球形の追加意匠部を有している。尚、追加意匠部の形状は、球形に限定されるものではない。
【００７０】
［第１の変形例］
実施例４の第１の変形例は、電子機器の外部コネクタ（例えば、ヘッドフォンコネクタ）と機械的かつ電気的に接続する物品コネクタと、周辺装置（例えば、ヘッドフォン）と機械的かつ電気的に接続する追加外部コネクタと、物品コネクタと追加外部コネクタとの間を電気的に接続する配線部とをさらに有する装飾器具である。
【００７１】
第１の変形例の装飾器具は、追加外部コネクタを備えているため、スマートフォン等の電子機器の筐体を装飾しながらも、電子機器の外部コネクタを介した周辺装置の接続を妨げることがない。
【００７２】
［第２の変形例］
実施例４の第２の変形例は、駆動電源としてのバッテリを内蔵した携帯型の電子機器の接続対象としての装飾器具である。ここで、電子機器は、外部コネクタ（例えば、ＵＳＢコネクタ）が、電子機器の電源回路に電気的に接続された端子をも含むものとする。
【００７３】
本装飾器具は、電子機器のバッテリ充電および／または駆動電源供給をなす追加バッテリをさらに有している。
【００７４】
第２の変形例の装飾器具は、追加バッテリを有しているため、スマートフォン等の電子機器の筐体を装飾しながらも、電子機器の外部コネクタを介したバッテリ充電および／または駆動電源供給を妨げることがない。
【００７５】
尚、以上説明した実施例においては、入力操作としてタッチ操作のみを挙げたが、本発明における入力操作としては、タッチ操作に限定されるものではない。即ち、タッチパネル（表示画面）上を指先やペン先で軽く触れる操作である「タップ」、タッチパネルから所定間隔を置いた位置に指先やペン先を置く操作である「ホバー」、タッチパネル上を指先やペン先で触れて素早く払う操作である「フリック」、タッチパネル上を指先やペン先で素早く２回連続して触れる操作である「ダブルタップ」等も、本発明における入力操作に含まれるものとする。
【産業上の利用可能性】
【００７６】
以上説明した実施例に限定されることなく、本発明は、特許請求の範囲に記載された技術範囲内であれば、種々の変形が可能であることは云うまでもない。
【００７７】
例えば、本発明は、スマートフォン、携帯電話機、情報処理タブレットに限定されず、例えば、携帯ゲーム機、携帯型音声／映像再生機、携帯型ナビゲーション装置、デジタルカメラ、タッチパネル等の入力部付きのノート型パーソナルコンピュータ、もしくは、ＰＤＡ等、タッチパネル等の入力部と外部コネクタとを備えた電子機器全般に適用可能である。
【００７８】
また、本発明において、外部コネクタとしては、ヘッドフォンコネクタに限定されず、イヤフォンコネクタ、ヘッドセット（イヤフォンとマイクロフォンとの組み合わせ）コネクタ、ＵＳＢ（Universal Serial Bus）コネクタ、ＨＤＭＩ（High-Definition Multimedia Interface、商標または登録商標）コネクタ、ＭＨＬ（Mobile High-definition Link、商標または登録商標）対応ＨＤＭＩコネクタ、もしくは、給・充電コネクタ等であってもよい。
【００７９】
さらに、本発明において、周辺装置としては、ヘッドフォンに限定されず、イヤフォン、ヘッドセット、ＵＳＢ接続される各種機器、ＨＤＭＩ接続される外部ディスプレイ装置、ＭＨＬ接続される外部ディスプレイ装置ならびに給電器または充電器、もしくは、給・充電コネクタ接続される給電器または充電器等であってもよい。
【符号の説明】
【００８０】
１００、３００    スマートフォン
１１０    制御部
１１１    ＣＰＵ
１１２    メモリ
１１３    タイマ
１２０    充電式バッテリ
１３０    無線通信部
１３２    アンテナ
１４０    入力ユーザーインターフェース（入力ＵＩ）
１４１    内蔵マイクロフォン
１４２    タッチパネル
１４３    ハードウエアボタン（Ｈ／Ｗボタン）
１４４    カメラ
１５０    出力ユーザーインターフェース（出力ＵＩ）
１５１    内蔵スピーカー
１５２    ディスプレイ
１５３    バイブレーションモータ
１６０    外部インターフェース
１６１    ヘッドフォンコネクタ
１６３    ＵＳＢコネクタ
１６４    電源コネクタ
１６５    近距離無線通信部
１６６    赤外線通信部（ＩＲ通信部）
２００    ネットワーク
４００    物品（装飾器具）
５００    ヘッドフォン
６００    ＵＳＢ機器
【図１】
2014057266.tif 000003
【図２】
2014057266.tif 000004
【図３】
2014057266.tif 000005
【図４】
2014057266.tif 000006
【図５】
2014057266.tif 000007